(57)【要約】【課題】    従来、顔のしわとたるみの除去・予防は非常に高価で、その処置をするのに時間が拘束されることはある程度、常識であった。そして、効果は外科的処置を除き、決して十分ではなかった。【解決手段】立体印刷機を用いて、自分専用のオリジナルマスクを作製する。日常生活の中で顔面に装着するだけで、効果的に処置をしていくことができる。  【選択図】図2
2009273909.tif 000002
【特許請求の範囲】
【請求項１】
顔面の皺とたるみを取り除き及びその防止をする為の個々人のオリジナルマスクである。
顔面パーツの起伏等の情報を忠実に表現できるように、対象の個人の顔型をデスマスクの要領で作製する。その顔型にプラスチック等の硬質素材でオリジナルマスクの型を作りだす。立体印刷機で抽出した顔面情報をもとにオリジナルマスクの型をつくることができる。
【請求項２】
オリジナルマスクは、その内面に皺とたるみにあたる部分にシリコン膜を張り付けて装着する。皺とたるみの除去マッサージをしたあと、皺とたるみの部分を広げ及び伸ばした状態をシリコン膜と皮膚との間で発生する摩擦力を利用して固定するものである。オリジナルマスクは硬質であり、該当個人の顔面の起伏に完璧にフィットする。それに連結するヘッドギアは伸縮可能な素材であるため内面に接着されたシリコン膜と皮膚との間に発生する摩擦力を維持することができる。摩擦力の強度をオリジナルマスクとヘッドギアを連結する部分をマジックテープ（登録商標）式にすることで調整することができる。装着後の位置等の調整は調整窓から指を挿入しておこなうことができる。シリコン膜は皺とたるみの大きさや形に対応するためシートシール方式にし、随時、鋏等で切り取り付け替えて使用する。
【請求項３】
立体印刷機を利用し、顔面の皺やたるみを含む起伏情報を精密に読み取り、そのデータを基に立体印刷という方法で複写再現する。複写再現する時、皺やたるみを取り除く又は防止する部分を伸ばし・引っ張り・広げの物理的力をシリコン等の摩擦材の貼り付け箇所や形そして大きさを設定したオリジナルマスクができるようにオペレータによるデータの微調整を行うことができる。その後、複写再現された型データを基に変形しない硬質プラスチック等でオリジナルマスクを作製する。最終段階で、オリジナルマスクは研磨等で微調整ができる。立体印刷機のスキャナは、ハンディタイプであり持ち運びが自由、簡単である。数分間の所要時間で被写体である人物の顔を360度の角度でスキャンすることができるため、被写体の拘束時間が極端に短いというのが最大のメリットである。現在、実際の顔面と立体印刷機で成型された顔面との誤差は0.1〜0.2mm、立体印刷した時点で更に0.02〜0.05mmとなる。よって誤差数値が確認済みであるため、微調整はスキャナで得られたデータ上でオペレータが処理することができる。顔面のスキャンポイントを数多く設定することで精度を被写体の顔面の起伏に限りなく収斂させることができる。
【請求項４】
オリジナルマスクの外面のデザインは予め、請求項3の要領で造形し印刷を施した後、それをオリジナルマスクに接合させて自由に種々の顔面を造ることができる。
【請求項５】
立体印刷機による精巧な複写技術によって作製される型を持って、時間経過に伴って変形劣化していく形状を物理的力により維持または遅延すことを可能にする。
【発明の詳細な説明】
【技術分野】
【０００１】
本発明は、日常生活の中で顔面の皺の取り除き、皺を予防することのできるマスクに関するものである。そのマスク作製の過程で顔面の複写手段として立体印刷機を利用するものである。
【背景技術】
【０００２】
現在、顔面の皺を取り除き、または、それを防止するには美容整形、化粧品、マッサージ、高価な器具の使用等の時間とお金の掛かるものが多かった。
【０００３】
この改善策として、立体印刷機で自分の顔面の皺とりオリジナルマスクを作製することによって骨格に急激な変化がない限り使用し続けることができる。時間経過に伴い、それをメンテナンスしていくことで何歳になっても対応可能となる。
【発明の開示】
【発明が解決しようとする課題】
【０００４】
解決しようとする課題は、いかにして安価で簡単に日常生活の中で顔の皺を取り除き、予防していくかである。
【課題を解決するための手段】
【０００５】
本発明は、立体印刷機で自分の顔である被写体の精密な複写物を基にオリジナルマスクを作る。そのオリジナルマスクの内面に滑りを止めるシリコン材等の肌に優しい素材を付着させ、その素材と顔面との間で発生する摩擦力を利用して皺もしくは、将来、皺ができるかもしれない部分の皮膚を伸ばし、広げて皺の取り除きと予防をおこなうものである。
【発明の効果】
【０００６】
本発明は、立体印刷機を利用し、顔面の皺やたるみを含む起伏情報を精密に読み取り、そのデータを基に立体印刷という方法で複写再現する。複写再現する時、皺やたるみを取り除く又は防止する部分に伸ばし・引っ張り・広げの物理的力をシリコン等の摩擦材の貼り付け箇所や形そして大きさを設定したオリジナルマスクができるようにオペレータによるデータの微調整を行う。その後、顔面の複写再現された型を基に変形しない硬質プラスチック等でオリジナルマスクを作製する。オリジナルマスクは研磨で微調整をすることができる。オリジナルマスクはスキャナによるスキャンが完了すると被写体は拘束されることはなく、立体印刷機の運用コストや硬質プラスチックの作製についても固定費は一定であるが作製数量が増えれば単価は逓減していく。
【発明を実施するための最良の形態】
【０００７】
立体印刷機を利用することがオリジナルマスクを作製する上で、コスト、拘束時間、場所等の条件を考慮すると非常に有効である。
【実施例１】
【０００８】
図1は、オリジナルマスクを顔面に装着したところである。矢印の方向は、シリコン材と皮膚の間に発生する摩擦力を利用して皺とたるみを広げ、伸ばして調整する方法を示している。
【実施例２】
【０００９】
図2は、オリジナルマスクをヘッドギアから切り離して、内面にシリコン材を付着させているところである。
【実施例３】
【００１０】
図3は、オリジナルマスクとヘッドギアを装着する直前の外観である。
【００１１】
図4は、立体印刷機を用いたオリジナルマスクの作製過程の流れである。
【産業上の利用可能性】
【００１２】
本発明は加齢による皺とたるみに悩む女性にリーズナブル、簡単にそしてオリジナルマスクを装着するだけで日常生活の中で手入れを可能にする。立体印刷機の精度の高い複写技術を生かし、時間経過とともに劣化する物質を精巧な型の中に保存することによってその形体を半永久的に維持し、また劣化を遅延させることを可能にならしめる。
【図面の簡単な説明】
【００１３】
【図１】オリジナルマスクの装着図（実施例１）
【図２】オリジナルマスクの内面図（実施例2）
【図３】オリジナルマスク外観図（実施例3）
【図４】オリジナルマスクの作製のフロー図（実施例4）
【符号の説明】
【００１４】
1．シリコン材
2．覗き穴
3．吸気穴
4．口穴
5．マジックテープ付きベルトの通し穴
6．マジックテープ付きベルト
7．ヘッドギア
8．マジックテープ
9．オリジナルマスク
10．頭の出し入れ穴
【図１】
2009273909.tif 000003
【図２】
2009273909.tif 000004
【図３】
2009273909.tif 000005
【図４】
2009273909.tif 000006